(57)【要約】【課題】横連設一体化ロール紙ホルダの中央における心棒取付体の左右に片持ち枢支した二本の心棒を単一部品として扱える左右一体の捻じりばねで各別にロール紙使用位置に弾性復帰させること。【解決手段】横連設一体化ロール紙ホルダＨの中央における心棒取付体Ｐの左右両側にロール紙１を空転可能に支持する心棒２を一本ずつ片持ち枢支するに当たり、共通下鍔４Ａを有する左右二本の枢軸４にほぼ眼鏡枠状に連設し単一部品として扱える左右一体の捻じりばね３を挿入定位し、これら各ばねの折曲端部３Ａをそれぞれ心棒枢支筒５の係止溝５Ａに各別係入した後、各心棒枢支筒５を前記枢軸４に挿通し、これら各枢軸４をそれぞれ前記心棒取付体Ｐの左右に下向きに突設することで、左右の心棒２を前記各捻じりばね３の捻じり復元弾力で常にはロール紙使用位置に各別復帰可能に片持ち枢支した。【選択図】      図１
2005006904.tif 000002
【特許請求の範囲】
【請求項１】
二つのロール紙を左右の心棒で各別に枢支するタイプの横連設一体化ロール紙ホルダにおいて、ほぼ眼鏡枠状に連設し単一部品として扱える左右一体の捻じりばねを二本の枢軸に挿入定位し、これら各ばねの折曲端部をそれぞれ二つの心棒枢支筒の係止溝に各別係入した後、各枢支筒を前記左右の枢軸に挿通して抜け止めを施こし、これら各枢軸をそれぞれ前記ホルダの中央における心棒取付体の左右両側に下向きに突設することで、前記左右の心棒をそれぞれ前記各捻じりばねの捻じり復元弾力で常にはロール紙使用位置に各別復帰可能に片持ち枢支してなる横連設一体化ロール紙ホルダ。
【請求項２】
二つのロール紙１を左右の心棒２で各別に枢支するタイプの横連設一体化ロール紙ホルダＨにおいて、ほぼ眼鏡枠状に連設し単一部品として扱える左右一体の捻じりばね３を二本の枢軸４に挿入定位し、これら各ばね３の折曲端部３Ａをそれぞれ前記各心棒２の心棒枢支筒５の係止溝５Ａに各別に係入した後、各心棒枢支筒５を前記左右の枢軸４に挿通して抜け止めを施こし、これら各枢軸４をそれぞれ前記ホルダＨの中央における心棒取付体Ｐの左右両側に下向きに突設することで、前記左右の心棒２を前記各捻じりばね３の捻じり復元弾力で常にはロール紙使用位置に各別復帰可能に片持ち枢支してなる横連設一体化ロール紙ホルダ。
【請求項３】
前記二本の枢軸４の下部に共通下鍔４Ａを一体形成し、この共通下鍔４Ａで前記各枢軸４にその上部から挿通した枢支筒５の抜け止めを施こしてなる請求項１または請求項２に記載の横連設一体化ロール紙ホルダ。
【請求項４】
前記ほぼ眼鏡枠状の捻じりばね３と心棒枢支筒５とを備えた左右の枢軸４をそれぞれ前記心棒取付体Ｐの左右に下向きに突設するに当たり、前記各枢軸４の上部にそれぞれ先細斜面付きの対向鉤片４Ｂを形成し、これらの対向鉤片４Ｂをその弾力に抗しすぼませつつ前記心棒取付体Ｐの左右の枢軸取着孔ＰＡにその下部から挿通し、上記各対向鉤片４Ｂをその復帰弾力でそれぞれ枢軸取着孔ＰＡの縁辺に係合させることで、心棒２を有する左右の枢軸４をそれぞれ前記心棒取付体Ｐの左右に突設してなる請求項１から請求項３までのいずれか一つの請求項に記載の横連設一体化ロール紙ホルダ。
【請求項５】
前記ロール紙１の上部前寄り外周面に前記ホルダＨの後部における左右の枢支部６ａで起伏可能に枢支した紙切り板６の前辺下部６Ａを弾接し、この前辺下部６Ａを経て前方へ繰り出したロール紙１の繰り出し部を前記紙切り板６の前辺刃先６Ｂでカット可能となした請求項１から請求項４までのいずれか一つの請求項に記載の横連設一体化ロール紙ホルダ。
【請求項６】
前記心棒自由端２Ｂに対向するホルダ左右の側壁ＨＡまたはこの側壁ＨＡに取着した側体７に心棒自由端２Ｂをロール紙使用位置に係止する心棒ロック部８を設けた請求項１から請求項５までのいずれか一つの請求項に記載の横連設一体化ロール紙ホルダ。
【請求項７】
前記心棒２の外周面に外筒２Ｃを滑り空転可能に被せた後、心棒２に対する外筒２Ｃの抜け止めを施こした請求項１から請求項６までのいずれか一つの請求項に記載の横連設一体化ロール紙ホルダ。
【発明の詳細な説明】
【０００１】
【発明の属する技術分野】
この発明は、二つのロール紙またはロール巻きシート状物をその中心孔に通した左右の心棒で枢支するタイプの横連設一体化ロール紙ホルダに係り、特に単一部品として扱える左右一体の捻じりばねで左右の心棒を一本ずつ各別にロール紙使用位置に弾性復帰させるようにした横連設一体化ロール紙ホルダに関する。
【０００２】
【従来の技術】
この種のトイレットペーパーなどの横連設一体化ロール紙ホルダとしては従来、特開平１０−１２７５２５号公報記載のように、二つのロール紙を左右の心棒で各別に枢支するタイプの横連設一体化ロール紙ホルダの中央における心棒取付体の左右両側にロール紙を空転可能に支持するための心棒を一本ずつ片持ち枢支するに当たり、これら左右の心棒をそれぞれ専用の二つの捻じりコイルばねで常にはロール紙使用位置に各別復帰可能に片持ち枢支し、これらの各心棒にそれぞれロール紙の中心孔を個別に通して各ロール紙を空転可能に支持するとともに、このロール紙の上部前寄り外周面に前記ホルダの後部に枢支した紙切り板の前辺下部を弾接し、この前辺下部を経たロール紙の繰り出し部を前記紙切り板の前辺刃先でカット可能にした横連設一体化ロール紙ホルダが周知である。
【０００３】
【発明が解決しようとする課題】
ところが、この従来例における前記左右の心棒をロール紙使用位置に各別復帰可能に片持ち枢支するには、上記公報中唯一の記載例として、当該公報図２のような左右二本一組の枢軸の各周囲にそれぞれ弾け跳び易い二つ独立した捻じりコイルばねを一つずつ個別に介在し、これら各ばねの二つの下向き端部を一つずつ前記左右の各枢軸の係止溝にそれぞれ係入定位した状態で、心棒を有する左右の枢支筒を一つずつ前記各枢軸に通し始め、上記ばねの二つの上向き折曲端部を一つずつ左右の枢支筒の各係止溝に係合させながら、これら各枢支筒を左右の枢軸下部まで挿入し終えた状態を手指で確保しつつ、これらの枢軸をその上部対向鉤片で前記従来例公報図３のように心棒取付体に凹凸係合させて取着していた。
【０００４】
したがって、弾け跳び易い前記二つの捻じりコイルばねの各下向き端部二つをそれぞれ一つずつ左右の枢軸の各係止溝に係入して上記各ばね自体を枢軸に対して空転しないようにする二つのばね処理作業と、二つの捻じりコイルばねの各上向き端部をそれぞれ一つずつ左右の枢支筒の各係止溝に係入する二つのばね処理作業との合計四つの緻密かつ、面倒なばね処理作業が必要であるから、横連設一体化ロール紙ホルダとしての組立製造を初めとして、弾け跳び易い捻じりコイルばねを二つも必要とするから、部品管理・保守点検などの面で扱い辛く不便で面倒であり、価格的にも不利であったという本質的かつ、大きな問題点が有る。
【０００５】
この発明は、横連設一体化ロール紙ホルダの中央における心棒取付体の左右に片持ち枢支した二本の心棒を単一部品として扱える左右一体の捻じりばねの捻じり復元弾力で各別にロール紙使用位置に復帰させることを目的とする。
【０００６】
【課題を解決するための手段】
上記した本発明の目的は、二つのロール紙を左右の心棒で各別に枢支するタイプの横連設一体化ロール紙ホルダを構成するに当たり、ほぼ眼鏡枠状に連設し単一部品として扱えるようにした左右一体の捻じりばねを二本の枢軸に挿入定位し、これら各ばねの折曲端部をそれぞれ二つの心棒枢支筒の係止溝に各別係入した後、各枢支筒を前記左右の枢軸に挿通して抜け止めを施こし、これら各枢軸をそれぞれ前記ホルダの中央における心棒取付体の左右両側に下向きに突設することで、前記左右の心棒をそれぞれ前記各捻じりばねの捻じり復元弾力で常にはロール紙使用位置に各別復帰可能に片持ち枢支したことで達成できた。
【０００７】
【発明の実施の形態】
本発明の実施の形態のうち、先ず本発明の基本的な形態例を説明する。
本発明の基本的な形態は、図１のように二つのロール紙１を左右の心棒２で空転可能に各別枢支するタイプの横連設一体化ロール紙ホルダＨを構成するに当たり、前記ホルダＨをプラスチックや金属などで平面ほぼヨ字状に成形して作り、その中央における心棒取付体Ｐの左右両側に前記二本の心棒２を一本ずつ片持ち枢支するのであるが、この枢支手段として本発明では、図２のようなピアノ線材などをほぼ眼鏡枠（めがねフレーム）状に連設成形して単一部品として扱えるようにした左右一体のコイルまたはリング状の捻じりばね３をそれぞれ同図２のような共通下鍔４Ａに一体突設した左右二本の枢軸４に挿入定位し、各ばね３の上向き折曲端部３Ａをそれぞれ前記心棒２の基部２Ａに取着した心棒枢支筒５の縦の係止溝５Ａに係入しつつ各心棒枢支筒５を前記枢軸４の下まで挿通し、これら各枢軸４の上部をそれぞれ前記心棒取付体Ｐの左右に設けた枢軸取着孔ＰＡにその下方から図３のように無理嵌め固定するなどして下向きに突設固定することで、左右の心棒２をそれぞれ前記各捻じりばね３の捻じり復元弾力で常には同図１のようなロール紙使用位置に各別復帰するように片持ち枢支する。
【０００８】
なお、前記各図における符号２Ｃで示す部分は、前記心棒２に図４のように空転可能に被せて抜け止めを施こしたプラスチック製の外筒であり、この外筒２Ｃに芯管無しロール紙１の細い中心孔１Ａを図５のように通すことで、芯管無しロール紙１を上記外筒２Ｃと共に心棒２に対し空転可能に枢支できる。
また、前記心棒枢支筒５は心棒２に一体形成してもよく、さらに前記心棒２の基部２Ａを心棒枢支筒５に横向き突設した図２のような挿着筒部５Ｂに図４のように無理嵌め固定してもよく、また前記心棒枢支筒５を前記のように備えた左右一組の枢軸４は、それぞれ前記心棒取付体Ｐに縦設した二つの枢軸取着孔ＰＡに各枢軸４を挿通後、心棒取付体Ｐの外周面からねじ止めしても突設できる。
【０００９】
さらに、前記各枢軸４をプラスチック成形し、その上部にそれぞれ図２のような先細斜面付きの対向鉤片４Ｂを形成し、これらの対向鉤片４Ｂをその弾力に抗し対向間隔を狭めつつ前記心棒取付体Ｐの左右の枢軸取着孔ＰＡにその下部から挿通し、上記各鉤片４Ｂをその対向復元弾力でそれぞれ枢軸取着孔ＰＡの縁辺に図４・図５のようにパチンと一発係合させることで、心棒２を前記のように備えた左右の枢軸４を前記心棒取付体Ｐの左右に下向きに突設することもできる。
【００１０】
また、前記捻じりばね３を捻じり変形させるに要する外力（以下捻じり変形弾力という）をロール紙１の通常繰り出し力では心棒２が前向き回動しない程度の強度とし、上記捻じり変形弾力に抗して前記左右の心棒２を枢軸４を支点として図３のようなロール紙挿通開始位置に前向き回動させ、この心棒２にロール紙中心孔１Ａを図５のように挿通した後、心棒２から手指を離すことで、心棒２はロール紙１と共に上記捻じりばね３の復元弾力で心棒２が図１のようなロール紙使用位置に自己復帰し、この位置でロール紙１を繰り出せるようにしてある。
また、前記ホルダＨの左右には、上記使用位置にあるロール紙１の横動を制限するホルダ側壁ＨＡが形成してあり、このホルダ側壁ＨＡと心棒取付体Ｐとの後部対向面に左右の枢支部６ａで紙切り板６を起伏可能に枢支し、この紙切り板６の前辺下部６Ａを心棒２に対し図１のように空転可能に支持したロール紙１の上部前寄り外周面に弾接させることで、この前辺下部６Ａを経て前方へ繰り出したロール紙１の繰り出し部を前記紙切り板６の前辺刃先６Ｂでカットして使用できるロール紙枢支ホルダＨも構成できる。
【００１１】
本発明の横連設一体化ロール紙ホルダＨは以上のような構成のもので、これを使用するには、前記捻じりばね３の捻じり変形弾力に抗し、左右の心棒２を手指などで二つ同時または左右各別に一つずつ図３のようなロール紙挿通開始位置に前向き回動させてこの位置を維持しながら、前記外筒２Ｃまたは心棒２にその自由端２Ｂからロール紙１の中心孔１Ａを図５のように通した後、心棒２から手指を離すと、この心棒２はロール紙１と共に前記各捻じりばね３の捻じり復元弾力で前記枢軸４を支点として図１のロール紙使用位置に自動的に後向き回動定位し、左右のロール紙１をロール紙枢支ホルダＨに対し空転可能に支持でき、前方へ繰り出したロール紙繰り出し部を手指などでカットして使用できる。
なお、ロール紙１の上部前寄り外周面に前記紙切り板６の前辺下部６Ａを図１のように弾接させれば、この紙切り板前辺下部６Ａを経て前方へ繰り出したロール紙繰り出し部を前記紙切り板６の前辺刃先６Ｂでカットして使用できる。
【００１２】
ロール紙１の全部を繰り出して使い終えたら、心棒２を前記各捻じりばね３の捻じり変形弾力に抗して図３のようにロール紙挿通開始位置に回動させ、空になった心棒２に新しいロール紙１の中心孔１Ａを図５のように挿入した後、心棒２から手指を離せば、新しいロール紙１を前記のように心棒２と共に各捻じりばね３の復元弾力で図１のロール紙使用位置に自動的に回動定位させることができ、新しいロール紙１を前記のように空転可能に支持して使用できる。
【００１３】
【実施例】
前記左右のホルダ側壁ＨＡの下部には、それぞれ前記側体７を一体的に延長形成してもよく、また、前記心棒取付体Ｐに対する枢軸４の取着手段と同様に、図２のような側体７をその上部における対向鉤片７Ａで下向きに突設固定することもでき、これら各場合の側体７の内面に形成したほぼコ字状の切り溝７Ｂ内に設けた凹所や孔、または上記側体７まで延長形成した側壁ＨＡ自体の凹所や孔などの心棒ロック部８に心棒自由端２Ｂを上記切り溝７Ｂ内の側体部分の弾性、または上記延長側壁ＨＡ固有の弾性に抗して図１・図６のように凹凸係合させることで、前記捻じりばね３の捻じり変形弾力を弱めに設定しても、使用中の心棒２やロール紙１が妄りに動かないようにロックすることもでき、また、手指などで心棒自由端２Ｂを上記心棒ロック部８からその弾性係合力に抗し図６のように外すことで、心棒２を前記のように各捻じりばね３の捻じり変形弾力に抗し図５のようなロール紙挿通開始位置に前向き回動できる。
【００１４】
さらに、前記心棒２に前記外筒２Ｃを図４のように滑り空転可能に被せた後、心棒２に対する外筒２Ｃの抜け止めを施こし、この外筒２Ｃに前記心棒２の自由端２Ｂからロール紙１の中心細孔１Ａを図５のように挿通することで、このロール紙１を心棒２に対し外筒２Ｃと共に回転させ得るように図１のように支持すれば、ロール紙繰り出し回転に伴うロール紙中心部分の心棒に対する絡み付きが全く無くなり、芯管無しロール紙１でも常に快適に繰り出し使用できる共に、上記外筒２Ｃで心棒２の補強も可能な芯管無しロール紙の枢支ホルダになる。
この場合には、外筒２Ｃの心棒基部２Ａ方向への抜け止めは、図４のように心棒２の基部２Ａに突設した抜け止め突環２Ｄや、前記心棒枢支筒５の外面に外筒２Ｃの端部を突き当てることで施こせると共に心棒２を補強でき、心棒２の自由端２Ｂ方向への外筒２Ｃの抜け止めは、上記自由端２Ｂ付近のリング溝２Ｅに弾力係合させた割溝付きの抜け止めリング２Ｆなどで同図４のように施こせる。
【００１５】
【発明の効果】
本発明における請求項１および請求項２の各発明によれば、ほぼ眼鏡枠状に連設し単一部品として扱えるようにした左右一体の捻じりばね３を二本の各枢軸４に挿入定位し、各ばね３の折曲端部３Ａをそれぞれ前記各心棒２の心棒枢支筒５の係止溝５Ａに各別係入した後、各心棒枢支筒５を各枢軸４に挿通し、各枢軸４をそれぞれ心棒取付体Ｐの左右両側に下向きに突設定着することで、前記左右の心棒２を前記各捻じりばね３の捻じり復元弾力で常にはロール紙使用位置に各別復帰可能に片持ち枢支できた。
【００１６】
したがって、前記従来例における弾け跳び易く不安定で左右独立した二つの捻じりコイルばねが本発明では不要となり、上記従来例における二物品としてしか扱えない二つのばねを大幅に改良した本発明における前記ほぼ眼鏡枠状に連設し単一部品として扱える左右一体の捻じりばね３は、横連設一体化ロール紙ホルダの組立現場で、たった一つの部品として手軽に扱え、かつ弾け跳びづらい形状であるし、これら左右一体の各ばね３は、左右二本の枢軸４にそのまま挿入するだけで各ばね３が空転しない形状だから、前記従来例における独立した二つのばねの上下各端部を枢支筒と枢軸の各係止溝に各別に係合させるという面倒な四つのばね処理作業のうち、二つのばね端部を枢軸に掛け止めして各ばねの空転を阻止するための、はじけ跳び易く、不安定で極めて面倒なばね処理作業が本発明では全く不要となり、本発明では、左右一体の捻じりばね３の二つの折曲端部３Ａを心棒枢支筒５の係止溝５Ａに係入するだけの簡単で安定なばね処理作業で済むので、本発明は、横連設一体化ロール紙ホルダ全体としての組立製造・部品管理・保守点検などのすべての面で前記従来例よりも格段に扱い易く、組立作業性も大幅に向上し、価格的にも有利になったという優れた効果が有る。
【００１７】
本発明における請求項３の発明によれば、前記した諸効果に加えて、前記二本の枢軸４の下部に共通下鍔４Ａを一体形成し、この共通下鍔４Ａで前記各枢軸４にその上部から挿通した枢支筒５の抜け止めを施こしたので、その組立製造・部品管理の面で、より一層扱い易くなり、組立作業性も一層向上したという効果を付加できた。
【００１８】
本発明における請求項４の発明によれば、前記した諸効果に加えて、前記ほぼ眼鏡枠状捻じりばね３と心棒枢支筒５とを備えた左右一組の枢軸４をそれぞれ前記心棒取付体Ｐの左右に下向きに突設するに当たり、前記各枢軸４をプラスチック成形し、その上部にそれぞれ先細斜面付きの対向鉤片４Ｂを形成し、各対向鉤片４Ｂをその弾力に抗しすぼませつつ前記心棒取付体Ｐの左右の枢軸取着孔ＰＡにその下部から挿通し、上記各対向鉤片４Ｂをその復帰弾力でそれぞれ枢軸取着孔ＰＡの縁辺に一発係合させることで、心棒２を有する左右の枢軸４をそれぞれ前記心棒取付体Ｐの左右に突設できたので、横連設一体化ロール紙ホルダをより一層作業性よく安価に多量製造することができたという効果を付加できた。
【００１９】
本発明における請求項５の発明によれば、前記した諸効果に加えて、前記ロール紙１の上部前寄り外周面に前記ホルダＨの後部における左右の枢支部６ａで起伏可能に枢支した紙切り板６の前辺下部６Ａを弾接し、この前辺下部６Ａを経て前方へ繰り出したロール紙１の繰り出し部を前記紙切り板６の前辺刃先６Ｂでカットして使用できるという効果を付加できた。
【００２０】
本発明における請求項６の発明によれば、前記した諸効果に加えて、前記心棒２の自由端２Ｂに対向するホルダ左右の側壁ＨＡまたは側体７に心棒自由端２Ｂをロール紙使用位置に弾力的に係止する心棒ロック部８を設けたので、捻じりばね３の捻じり変形弾力を弱めに設定しても、ロール紙１を安定に繰り出せると共に、前記ロール紙ホルダの周辺には無用な心棒の傾斜突出が無くなり、より一層安全に見栄えよく使用できるという効果を付加できた。
【００２１】
本発明における請求項７の発明によれば、前記した諸効果に加えて、前記心棒２の外周面に外筒２Ｃを滑り空転可能に被せた後、心棒２に対する外筒２Ｃの抜け止めを施こしたので、この外筒２Ｃに前記心棒２の自由端２Ｂから芯管無しロール紙１の中心細孔１Ａを挿通することで、このロール紙１を心棒２に対し外筒２Ｃと共に回転させ得ることができ、ロール紙繰り出し回転に伴うロール紙中心部分の心棒に対する絡み付きが全く無くなり、ロール紙１を常に快適に繰り出し使用できる共に、上記外筒２Ｃで心棒２の補強も可能な芯管無しロール紙の枢支ホルダを安価に多量製造できるという効果を付加できた。
【図面の簡単な説明】
【図１】本発明の実施形態の一例を示す斜視図
【図２】本発明によるロール紙枢支ホルダの分解斜視図
【図３】本発明の要部の一例を示す一部切欠斜視図
【図４】図３と状態を異にする一部切欠斜視図
【図５】本発明要部の使用状態の一例を示す斜視図
【図６】本発明における心棒ロック部の動作例を示す縦断面平面図
【符号の説明】
Ｈ    横連設一体化ロール紙ホルダ
ＨＡ  ホルダ側壁
Ｐ    心棒取付体
ＰＡ  枢軸取着孔
１    ロール紙
１Ａ  中心孔
２    心棒
２Ａ  心棒基部
２Ｂ  心棒自由端
２Ｃ  外筒
３    左右一体の捻じりばね
３Ａ  折曲端部
４    左右二本の枢軸
４Ａ  二本の枢軸の共通下鍔
４Ｂ  対向鉤片
５    心棒枢支筒
５Ａ  係止溝
５Ｂ  心棒挿着筒部
６    紙切り板
６ａ  紙切り板枢支部
６Ａ  紙切り板の前辺下部
６Ｂ  紙切り板の前辺刃先
７    ロール紙ホルダの側体
８    心棒ロック部
【図１】
2005006904.tif 000003
【図２】
2005006904.tif 000004
【図３】
2005006904.tif 000005
【図４】
2005006904.tif 000006
【図５】
2005006904.tif 000007
【図６】
2005006904.tif 000008